(57)【要約】      （修正有）【課題】顧客がクイズ形式で楽しみながらアンケートに答えられ、しかも、ポストに投函後に、予め、表示されている景品（たとえばクオカード）がゲットできる楽しみがあるユニークにして面白いハガキを提供する。【解決手段】ハガキ１は、裏側の通信面に、複数個の囲い枠欄６と、個人情報の記入欄８と、景品表示欄７とを設け、前記複数個の囲い枠欄のうち、１つに開始マーク６ｂ′を、他にＡ、Ｂ、Ｃの如く連続マークをそれぞれ付す。さらに、該連続マークを付した各囲い枠欄に質問と回答を記すとともに回答毎にスクラッチＳを設け、顧客がクイズ形式で楽しみながらアンケートに答えられるようにする。また、スクラッチ膜の削りカスで周囲が汚されないようにしたこと、さらには、スクラッチ膜を削ったときに顕れる隠し記号の指示で先に進み、ゴールが出るとあがりになる、双六ゲーム的な要素を取り入れた。【選択図】図２
0003174092.tif 000002
【実用新案登録請求の範囲】
【請求項１】
裏側の通信面に、複数個の囲い枠欄と、個人情報の記入欄と、景品表示欄とを設け、前記複数個の囲い枠欄のうち、１つに開始マークを、他にＡ、Ｂ、Ｃの如く連続マークをそれぞれ付し、さらに、該連続マークを付した各囲い枠欄に質問と回答を記すとともに回答毎にスクラッチを設けたことを特徴とする郵便ハガキ。
【請求項２】
裏側の通信面に、複数個の囲い枠欄と、個人情報の記入欄と、景品表示欄とを設け、前記複数個の囲い枠欄のうち、１つに開始マークを、他にＡ、Ｂ、Ｃの如く連続マークをそれぞれ付し、さらに、該連続マークを付した各囲い枠欄に質問と回答を記すとともに回答毎にスクラッチを設けてなり、前記スクラッチの膜が、削ったときにカスのでないものであることを特徴とする郵便ハガキ。
【請求項３】
裏側の通信面に、複数個の囲い枠欄と、個人情報の記入欄と、景品表示欄とを設け、前記複数個の囲い枠欄のうち、１つに開始マークを、他にＡ、Ｂ、Ｃの如く連続マークをそれぞれ付し、さらに、該連続マークを付した各囲い枠欄に質問と回答を記すとともに回答毎にスクラッチを設けてなり、前記スクラッチを削ったときに顕れる隠し記号が、前記連続マークの１つの記号かゴールの文字であることを特徴とする郵便ハガキ。
【考案の詳細な説明】
【技術分野】
【０００１】
本考案は、顧客がクイズ形式のスクラッチを楽しみながらアンケートに答え、自らの住所氏名や電話番号等を書してポストに投函すると、予め、表示されている景品がゲットできるようにした郵便ハガキに関するものである。
【背景技術】
【０００２】
一般に、顧客のアンケート（ハガキ回答）を取るための郵便ハガキには、たとえば、特開平８−１９７８７５号がある。これは往復ハガキの往信葉書片と返信葉書片とを切り離したときに、そのカット位置が多少ずれてもマークシートのマーク（鉛筆で塗り潰してアンケートに答える部分）が欠けないようにし、返信葉書での回答に影響させない技術である。
【特許文献１】特開平８−１９７８７５号公報
【考案の開示】
【考案が解決しようとする課題】
【０００３】
しかしながら、上記返信葉書で答えるアンケート用紙は、アンケート調査を行なう主催者側の都合のみで作られたもので、マークシートのマーク部分が欠けないようにしただけで形式的に過ぎる。しかも、顧客側の楽しみや面白さの工夫がなく、顧客が主催者側の意図するアンケート結果が望めるかが疑問であった。
【０００４】
本考案は、上記の点に鑑みて案出したもので、その目的とするところは、顧客がクイズ形式のスクラッチを楽しみながらアンケートに答えられ、しかも、ポストに投函後に待っていると、予め、表示されている景品（たとえばクオカード）がゲットできるという楽しみのあるユニークにして面白い、郵便ハガキを提供することにある。
【課題を解決するための手段】
【０００５】
上記目的を達成するため、本考案の郵便ハガキは、裏側の通信面に、複数個の囲い枠欄と、個人情報の記入欄と、景品表示欄とを設け、前記複数個の囲い枠欄のうち、１つに開始マークを、他にＡ、Ｂ、Ｃの如く連続マークをそれぞれ付し、さらに、該連続マークを付した各囲い枠欄に質問と回答を記すとともに回答毎にスクラッチを設けたことを特徴とし、顧客がクイズ形式でスクラッチを楽しみながらアンケートに答えられるように構成した。
【０００６】
また、請求項２に記載の郵便ハガキは、裏側の通信面に、複数個の囲い枠欄と、個人情報の記入欄と、景品表示欄とを設け、前記複数個の囲い枠欄のうち、１つに開始マークを、他にＡ、Ｂ、Ｃの如く連続マークをそれぞれ付し、さらに、該連続マークを付した各囲い枠欄に質問と回答を記すとともに回答毎にスクラッチを設けてなり、前記スクラッチ膜が、削ったときにカスのでないものであることを特徴とし、削りカスで四囲が汚されることがないように構成した。
【０００７】
さらに、請求項３に記載の郵便ハガキは、裏側の通信面に、複数個の囲い枠欄と、個人情報の記入欄と、景品表示欄とを設け、前記複数個の囲い枠欄のうち、１つに開始マークを、他にＡ、Ｂ、Ｃの如く連続マークをそれぞれ付し、さらに、該連続マークを付した各囲い枠欄に質問と回答を記すとともに回答毎にスクラッチを設けてなり、前記スクラッチ膜を削ったときに顕れる隠し記号が、前記連続マークの１つの記号かゴールの文字であることを特徴とし、スクラッチ膜を削りつつその指示にしたがいながら各囲い枠欄を順次進み、ゴールが出たら「あがり」になるという双六ゲーム的の要素が得られるように構成した。
【考案の効果】
【０００８】
本考案によれば、顧客がクイズ形式で楽しみながらアンケートに答えられるとともに、予め表示されている景品（たとえばクオカード）をゲットするために自らの住所氏名等を書して喜んでポストに投函できるという優れた効果を奏するものである。
【０００９】
また、請求項２に記載の考案によれば、スクラッチ膜として削ったときにカスの出ないものであるため、削りカスで四囲を汚すことがなく、赤ちゃんやペットが口に入れる危険を生じさせないという優れた効果を奏するものである。
【００１０】
さらに、請求項３に記載の考案によれば、最初の囲い枠欄からはじまり、スクラッチ膜を削って出た隠し記号にしたがって各囲い枠欄を順次進み、ゴールが出たら「あがり」になる、いわば「双六ゲーム」的の要素が得られ、楽しく遊びながら顧客に回答を求められるという優れた効果を奏するものである。
【考案を実施するための最良の形態】
【００１１】
次に、本考案の実施態様を添付図面に基づいて説明する。図１は本願ハガキの表側の平面図、図２は本願ハガキの裏側の平面図、図３はスクチッチを示し、（ａ）は膜を削っている状態の正面図、（ｂ）は隠し記号の代表例、（ｃ）はゴールである。
【００１２】
本願ハガキ１は、一定の規格の用紙からなる通信文と宛名を書く郵便物である。その表側の通信面２には、図１に示す如く、「郵便はがき」の文字２ａと、主催者側の住所２ｂと、郵便番号２ｃと、主催者名２ｄと、郵便切手不用にする印刷部２ｅとを有する上位部位に対し、バーコード３を介して分離した下位部位に、囲い線４を設け、その中にアンケートをお願いする気持ちを示す絵４ａと、この郵便物の趣旨、協力方、ポストへの投函のお願い、協力者へのお礼品の紹介、注意事項などを記した通信文４ｂ、お礼品を示した絵４ｃを記載している。
【００１３】
前記本願ハガキ１の裏側の通信面５には、複数個（図において７つ）の囲い枠欄６と、景品表示欄７と、個人情報の記入欄８とを設けている。前記囲い枠欄６のうち、最初の囲い枠欄６ａには、アンケートの回答要領の説明文、説明者らしい人の絵及び進む方向を示す矢印６ａ′を書している。
【００１４】
前記矢印６ａ′で示された囲い枠欄６ｂには、開始マーク（スタートの文字）６ｂ′を、他の５つの囲い枠欄６ｃ、６ｄ、６ｅ、６ｆ、６ｇには、Ａ、Ｂ、Ｃ、Ｄ、Ｅの如く連続マーク（連続数字でも良い）６ｃ′、６ｄ′、６ｅ′、６ｆ′、６ｇ′をそれぞれ付している。該連続マーク６ｃ′、６ｄ′、６ｅ′、６ｆ′、６ｇ′を付した各囲い枠欄６ｃ、６ｄ、６ｅ、６ｆ、６ｇには、質問Ｑと回答Ｋとを記すとともに回答毎にスクラッチＳを設けている。
【００１５】
前記スクラッチＳは、図３（ａ）の如く、硬いもの（たとえばコイン）９を手指で摘んで矢印のように往復動させて擦ることによりスクラッチ膜１０を削り取ると、隠れスペース１１内に隠し記号（或いは文字）１２が顕れる（浮きでる）。前記隠し記号（或いは文字）１２は、前記囲い枠欄６ｃ、６ｄ、６ｅ、６ｆ、６ｇに付した連続マークは、具体的にはＡ、Ｂ、Ｃ、Ｄ、Ｅか、ゲーム終了を示す「ゴール」の文字である。この「ゴール」が出たら「あがり」となる、いわば「双六ゲーム」的の要素が採り入れられている。
【００１６】
前記囲い枠欄６ｂの開始マーク６ｂ′の質問Ｑを「住まいを買うなら？」とし、回答Ｋは、「一戸建て？」、「マンション？」の２つとし、それぞれスクラッチＳがある。該一戸建てのスクラッチＳの隠し記号は「Ｃ」、マンションのスクラッチＳの隠し記号は「Ｄ」にしている。
【００１７】
前記囲い枠欄６ｃの連続マーク「Ａ」での質問Ｑを「家づくりの情報を希望しますか？」とし、回答Ｋは、「する！」、「しない！」の２つとし、するのスクラッチＳの隠し記号は「Ｂ」、しないのスクラッチＳの隠し記号は「ゴール」にしている。
【００１８】
前記囲い枠欄６ｄの連続マーク「Ｂ」での質問Ｑを「どんな家づくりの情報が欲しいですか？」とし、回答Ｋは、「資金に関する情報」、「土地に関する情報」、「家づくりに関する情報」の３つとし、資金のスクラッチＳの隠し記号は「ゴール」、土地のスクラッチＳの隠し記号も「ゴール」、家のスクラッチＳの隠し記号も「ゴール」にしている。
【００１９】
前記囲い枠欄６ｅの連続マーク「Ｃ」での質問Ｑを「住居購入で重要視するのは？」とし、回答Ｋは、「価格！」、「立地！」の２つとし、価格のスクラッチＳの隠し記号は「Ｄ」、立地のスクラッチＳの隠し記号は「Ｅ」にしている。
【００２０】
前記囲い枠欄６ｆの連続マーク「Ｄ」での質問Ｑを「理想の住居形態は？」とし、回答Ｋは、「賃貸派」、「持ち家派」の２つとし、賃貸派のスクラッチＳの隠し記号は「Ａ」、持ち家派のスクラッチＳの隠し記号は「Ｅ」にしている。
【００２１】
前記囲い枠欄６ｇの連続マーク「Ｅ」での質問Ｑを「住居を買うタイミングは？」とし、回答Ｋは、「家族の環境の変化」、「資金的不安の解決」の２つとし、家族のスクラッチＳの隠し記号は「Ａ」、資金のスクラッチＳの隠し記号も「Ａ」にしている。
【００２２】
上記質問Ｑは、あくまでも主催者側をして決めた一つの例であって、これに限定する趣旨ではない。また、回答Ｋについても、一つの例であるし、２つの回答、３つの回答も作ってあるが、これについても限定する趣旨ではない。さらに、前記スクラッチＳの隠し記号も、顧客に対する主催者側の意図を含むもので、任意に決定されるものである。
【００２３】
前記スクラッチ膜１０は、その材質によっては、削りカスの出るものと、出ないものがあり、そのいずれをも使用できるが、削りカスの出ないものの方が好ましい。削りカスで四囲を汚すことがないし、赤ちゃんやペットが口に入れる危険もないからである。
【００２４】
前記景品表示欄７は、アンケートに答えた顧客が、ゲット（手にいれること）できる景品、たとえばクオカード（提携店で現金として使えるカードである）を、絵や写真で表示している。これは顧客をして、アンケートに答えてポストへ投函したいとする気持ちを助長させる意味がある。勿論、景品は、クオカードに限らず、鉛筆、おもちゃなど、顧客に喜ばれ、かつ、高額でないものであればよい。
【００２５】
前記個人情報の記入欄８は、特定の個人を識別するための情報を得るための空白部である。すなわち、氏名・年齢部８ａ、住所部８ｂ、電話番号部８ｃ、メール部８ｄを設けている。個人情報保護法を考慮し、自ら積極的に記載して貰えるように最小限の記載事項としている。勿論、前記空白部の内容は、上記に限定する趣旨ではない。
【００２６】
次に、本願ハガキでのアンケートの答え方を具体例を説明する。まず、囲い枠欄６ｂの開始マーク６ｂ′の質問Ｑの「住まいを買うなら？」の回答Ｋのうち、「一戸建て？」を選び、そのスクラッチＳを削って、その指示にしたがって囲い枠欄「Ｃ」に移行し、その欄の質問Ｑ「住居購入で重要視するのは？」に対して回答Ｋの「価格！」と「立地！」のうち、価格を選び、そのスクラッチＳを削り、その指示にしたがって囲い枠欄「Ｄ」に移行し、その欄の質問Ｑ「理想の住居形態は？」の回答Ｋのうち、「持ち家派」を選び、そのスクラッチＳを削り、その指示にしたがって囲い枠欄「Ｅ」に移行し、その欄の質問Ｑ「住居を買うタイミングは？」に対して回答Ｋは「家族の環境の変化」を選ぶと「Ａ」に移行する。その「Ａ」の質問Ｑ「家づくりの情報を希望しますか？」に対して回答Ｋのうち、「する！」を選び、そのスクラッチＳを削り、その指示にしたがって囲い枠欄「Ｂ」に移行することとなる。この時、仮に、「しない！」を選んでスクラッチＳを削ると「ゴール」が出て、それ移行のゲームは終了になる。
【００２７】
しかして、上述の如く、「する！」を選び、そのスクラッチＳを削り、その指示にしたがって囲い枠欄「Ｂ」に進んだとき、その質問Ｑの「どんな家づくりの情報が欲しいですか？」の回答Ｋとして「資金に関する情報」、「土地に関する情報」、「家づくりに関する情報」の３つの回答のうち、資金を選び、スクラッチＳを削ると「ゴール」となり、ゲームは終了になる。尤も、「資金」以外の「土地」及び「家づくり」を選んでも、それらのスクラッチＳからは「ゴール」が顕れてゲーム終了になる。
【００２８】
上記の結果、顧客、すなわち、前記個人情報の記入欄８に記載された者は、「住まいを買うなら一戸建て」ということが判る。その場合において、「住居購入で重要視するのは立地より価格であることが判る。さらに、上記の結果から、理想の住居形態は持ち家派であること、それは家族の環境の変化であること、家づくりの情報を希望するなど、顧客の意図することが、このアンケートで明確となり、主催者としての対策がたて易くなる。
【産業上の利用可能性】
【００２９】
本願ハガキは、顧客がクイズ形式でスクラッチを楽しみながらアンケートに答え、自らの住所氏名や電話番号等を書してポストに投函すると、予め、表示されている景品がゲットできるようにしたもので、顧客は楽しみながら自分の希望を答えられるし、主催者側も顧客の希望を知ることができ、共に利用し合えるため、産業上の利用価値は極めて高いものである。
【図面の簡単な説明】
【００３０】
【図１】本願ハガキの表側の平面図である。
【図２】本願ハガキの裏側の平面図である。
【図３】スクチッチを示し、（ａ）はスクチッチ膜を削っている状態の正面図、（ｂ）隠し記号の代表例、（ｃ）はゴールである。
【符号の説明】
【００３１】
１  本願ハガキ
２  表側の通信面
２ａ  郵便はがきの文字
２ｂ  郵便番号
２ｃ  主催者側の住所
２ｄ  主催者名
２ｅ  郵便切手不用にする印刷部
３  バーコード
４  囲い枠
４ａ  絵
４ｂ  通信文
４ｃ  お礼品の絵
５  裏側の通信面
６  囲い枠欄６
６ａ  最初の囲い枠欄
６ａ′  矢印
６ｂ  矢印で示された囲い枠欄
６ｂ′  開始マーク（スタートの文字）
６ｃ、６ｄ、６ｅ、６ｆ、６ｇ  囲い枠欄
６ｃ′、６ｄ′、６ｅ′、６ｆ′、６ｇ′  連続マーク
７  景品表示欄
８  個人情報の記入欄
８ａ  氏名・年齢部
８ｂ  住所部
８ｃ  電話番号部
８ｄ  メール部
９  硬いもの（たとえばコイン）
１０  スクラッチ膜
１１  隠れスペース
１２  隠し記号（或いは文字）
Ｑ  質問
Ｋ  回答
Ｓ  スクラッチ
【図１】
0003174092.tif 000003
【図２】
0003174092.tif 000004
【図３】
0003174092.tif 000005